(57)【特許請求の範囲】
【請求項１】
巻芯部ならびに前記巻芯部の各端部にそれぞれ設けられた１対の鍔部を有するドラム状コアを備え、
前記鍔部は、前記巻芯部側に向きかつ前記巻芯部の各端部を位置させる内側端面と、前記内側端面の反対側の外側に向く外側端面と、前記内側端面と前記外側端面とを連結するものであって、実装時において実装基板側に向けられる底面と、前記底面の反対側の天面と、前記底面と前記天面とを連結する方向に延びかつ互いに対向する１対の側面と、を有し、さらに、
前記巻芯部に巻回された、ワイヤと、
前記ワイヤの端部に電気的に接続され、かつ前記鍔部に固定された、端子電極と、
を備え、
前記鍔部における、少なくとも一方の前記側面の前記底面側の端部には、前記底面の延びる方向に沿って延びる横方向面と前記側面の延びる方向に沿って延びる縦方向面とによって規定される切欠き形状の窪みが設けられ、
前記端子電極は、
前記鍔部の前記外側端面側に配置された基部と、
実装基板側の導電部との電気的接続のためのものであって、前記基部から、前記外側端面と前記底面とが交差する稜線部分を覆う第１の屈曲部を介して、前記鍔部の前記底面側に配置された実装部と、
前記基部から、前記外側端面と前記横方向面とが交差する稜線部分を覆う第２の屈曲部を介して、前記横方向面側に配置され、かつ前記ワイヤの端部と電気的に接続された、ワイヤ接続部と、
を備え、
前記ワイヤ接続部は、前記基部から前記第２の屈曲部を介して前記横方向面に沿って延び、かつ前記ワイヤの端部を受けるワイヤ受け部と、前記ワイヤ受け部と重なるように、前記ワイヤ受け部の先端部から折り返し部を介して延び、かつ前記ワイヤの端部と溶接されたワイヤ溶接部とを備える、コイル部品。
【請求項２】
巻芯部ならびに前記巻芯部の各端部にそれぞれ設けられた１対の鍔部を有するドラム状コアを備え、
前記鍔部は、前記巻芯部側に向きかつ前記巻芯部の各端部を位置させる内側端面と、前記内側端面の反対側の外側に向く外側端面と、前記内側端面と前記外側端面とを連結するものであって、実装時において実装基板側に向けられる底面と、前記底面の反対側の天面と、前記底面と前記天面とを連結する方向に延びかつ互いに対向する１対の側面と、を有し、さらに、
前記巻芯部に巻回された、ワイヤと、
前記ワイヤの端部に電気的に接続され、かつ前記鍔部に固定された、端子電極と、
を備え、
前記鍔部における、少なくとも一方の前記側面の前記底面側の端部には、前記底面の延びる方向に沿って延びる横方向面と前記側面の延びる方向に沿って延びる縦方向面とによって規定される切欠き形状の窪みが設けられ、
前記端子電極は、
前記鍔部の前記外側端面側に配置された基部と、
実装基板側の導電部との電気的接続のためのものであって、前記基部から、前記外側端面と前記底面とが交差する稜線部分を覆う第１の屈曲部を介して、前記鍔部の前記底面側に配置された実装部と、
前記１対の側面が互いに対向する方向において、前記実装部と隣り合って位置し、前記基部から、前記外側端面と前記横方向面とが交差する稜線部分を覆いかつ前記第１の屈曲部の延びる方向に沿って延びる第２の屈曲部を介して、前記横方向面側に配置され、かつ前記ワイヤの端部と電気的に接続された、ワイヤ接続部と、
を備える、コイル部品。
【請求項３】
前記鍔部の前記外側端面に直交する方向に見たとき、前記縦方向面の長さは、前記横方向面の長さより長い、請求項１または２に記載のコイル部品。
【請求項４】
前記ワイヤ接続部は、前記窪みが規定する空間内に納まっている、請求項１ないし３のいずれかに記載のコイル部品。
【発明の詳細な説明】
【技術分野】
【０００１】
この発明は、コイル部品に関するもので、特に、ワイヤを巻回した巻芯部と巻芯部の各端部にそれぞれ設けられた鍔部とを有するドラム状コアを備え、ワイヤの端部に電気的に接続される端子電極が鍔部に固定された構造を有する、コイル部品に関するものである。
【背景技術】
【０００２】
この発明にとって興味ある技術として、たとえば特許第５１５６０７６号公報（特許文献１）に記載されたものがある。図６ないし図９を参照して、特許文献１に記載のコイル部品１００について説明する。
【０００３】
コイル部品１００は、ドラム状コア１と、２本のワイヤ２および３とを備える。ワイヤ２および３は、たとえば、絶縁被覆された銅線からなる。ドラム状コア１は、巻芯部４ならびに巻芯部４の各端部にそれぞれ設けられた第１および第２の鍔部５および６を有する。
【０００４】
第１の鍔部５は、巻芯部４側に向きかつ巻芯部４の各端部を位置させる内側端面７と、内側端面７の反対側の外側に向く外側端面９と、内側端面７と外側端面９とを連結するものであって、実装時において実装基板側に向けられる底面１１と、上記底面１１の反対側の天面１３と、底面１１と天面１３とを連結する方向に延びかつ互いに対向する第１および第２の側面１５および１７と、を有している。
【０００５】
第２の鍔部６についても、第１の鍔部５と同様、巻芯部４側に向きかつ巻芯部４の各端部を位置させる内側端面８と、内側端面８の反対側の外側に向く外側端面１０と、内側端面８と外側端面１０とを連結するものであって、実装時において実装基板側に向けられる底面１２と、上記底面１２の反対側の天面１４と、底面１２と天面１４とを連結する方向に延びかつ互いに対向する第１および第２の側面１６および１８と、を有している。
【０００６】
また、第１の鍔部５には、切欠き形状の窪み１９および２０が設けられ、第２の鍔部６には、切欠き形状の窪み２１および２２が設けられる。なお、第２の鍔部６において、窪み２２とは反対側に位置する窪み２１は、図示されないが、説明の便宜上、「２１」の参照符号を付すことにする。
【０００７】
窪み１９〜２２を代表して、図９に拡大して図示した窪み２２について説明すると、窪み２２は、第２の鍔部６において、第２の側面１８の底面１２側の端部に位置するもので、底面１２に沿って延びる横方向面２３と側面１８に沿って延びる縦方向面２４とによって規定される切欠き形状を有している。図示されない窪み２１は、第２の鍔部６において、第１の側面１６の底面１２側の端部に位置するもので、底面１２に沿って延びる横方向面と側面１６に沿って延びる縦方向面とによって規定される切欠き形状を有している。
【０００８】
同様に、窪み１９は、第１の鍔部５において、第１の側面１５の底面１１側の端部に位置するもので、底面１１に沿って延びる横方向面と側面１５に沿って延びる縦方向面とによって規定される切欠き形状を有している。窪み２０は、第１の鍔部５において、第２の側面１７の底面１１側の端部に位置するもので、底面１１に沿って延びる横方向面と側面１７に沿って延びる縦方向面とによって規定される切欠き形状を有している。
【０００９】
第１の鍔部５には、２個の端子電極２５および２７が接着剤を介して固定され、第２の鍔部６には、２個の端子電極２６および２８が接着剤を介して固定される。なお、図６において、端子電極２６は、図示されないが、説明の便宜上、「２６」の参照符号を付すことにする。前述した第１のワイヤ２の一方端部は、第１の鍔部５に設けられた第１の端子電極２５に接続され、第１のワイヤ２の他方端部は、第２の鍔部６に設けられた第２の端子電極２６に接続される。また、第２のワイヤ３の一方端部は、第１の鍔部５に設けられた第３の端子電極２７に接続され、第２のワイヤ３の他方端部は、第２の鍔部６に設けられた第４の端子電極２８に接続される。
【００１０】
端子電極２５〜２８は、互いに同じか、対称形状を有している。図８を参照しながら、代表して、端子電極２８の詳細について説明すると、端子電極２８は、鍔部５の外側端面９に沿って延びる基部２９と、当該基部２９から、鍔部５の外側端面９と底面１１とが交差する稜線部分を覆う第１の屈曲部３０を介して、鍔部５の底面１１に沿って延びる実装部３１と、を備えている。さらに、端子電極２８は、実装部３１から第２の屈曲部３２を介して延びるワイヤ保持部３３と、基部２９から第３の屈曲部３４を介して延びるワイヤ溶接部３５と、を有する。
【００１１】
上記実装部３１およびワイヤ保持部３３は、図９にもよく示されている。図９に示すように、ワイヤ保持部３３は、窪み２２内に位置している。ワイヤ３の端部はワイヤ溶接部３５と位置合わせされ、この状態を維持するため、図９に示すように、ワイヤ保持部３３が折り曲げられる。これによって、ワイヤ３の端部近傍はワイヤ保持部３３に挟まれて保持された状態とされる。そして、ワイヤ３の端部とワイヤ溶接部３５とに対して、レーザ溶接が施されることによって、ワイヤ３と端子電極２８とが電気的に接続される。図６において、レーザ溶接の結果、形成された溶接玉３６が、端子電極２５および２７の各々の近くに図示されている。
【００１２】
上述した端子電極２８についての説明は、他の端子電極２５〜２７にも当てはまる。
【００１３】
図６に示したコイル部品１００は、第１および第２の鍔部５および６の各々の天面１３および１４に一方主面を接触させながら、１対の鍔部５および６間に渡された板状コア３７をさらに備えている。前述したドラム状コア１および板状コア３７が、ともにフェライトのような磁性体から構成されるとき、ドラム状コア１および板状コア３７によって閉磁路が形成される。
【先行技術文献】
【特許文献】
【００１４】
【特許文献１】特許第５１５６０７６号公報
【発明の概要】
【発明が解決しようとする課題】
【００１５】
前述したように、端子電極２８についての説明は、他の端子電極２５〜２７にも当てはまるので、以下には、端子電極２８について説明する。
【００１６】
コイル部品１００では、端子電極２８は、図９に示すように、実装部３１から窪み２２へと延び出してワイヤ保持部３３を形成している。この構成であると、実装部３１から第２の屈曲部３２を経てワイヤ保持部３３へと至る部分の張出しや、端子電極２８を構成する金属板の厚み、それらの設計上の公差によって、窪み２２が与える空間が占有される。
【００１７】
そこで、この発明の目的は、ドラム状コアの鍔部に設けられる窪みが与える限られた空間を有効に利用して、端子電極を配置でき、かつ端子電極とワイヤとの間で高い信頼性をもって電気的接続および機械的固定を実現できる、コイル部品を提供しようとすることである。
【課題を解決するための手段】
【００１８】
この発明に係るコイル部品は、まず、巻芯部ならびに巻芯部の各端部にそれぞれ設けられた１対の鍔部を有するドラム状コアを備える。ここで、鍔部は、巻芯部側に向きかつ巻芯部の各端部を位置させる内側端面と、内側端面の反対側の外側に向く外側端面と、内側端面と外側端面とを連結するものであって、実装時において実装基板側に向けられる底面と、底面の反対側の天面と、底面と天面とを連結する方向に延びかつ互いに対向する１対の側面と、を有する。
【００１９】
この発明に係るコイル部品は、さらに、巻芯部に巻回された、ワイヤと、ワイヤの端部に電気的に接続され、かつ鍔部に固定された、端子電極と、を備える。
【００２０】
また、上記鍔部における、少なくとも一方の側面の底面側の端部には、底面の延びる方向に沿って延びる横方向面と側面の延びる方向に沿って延びる縦方向面とによって規定される切欠き形状の窪みが設けられる。
【００２１】
以上のようなコイル部品において、この発明では、上述した技術的課題を解決するため、端子電極は、
（Ａ）鍔部の外側端面側に配置された基部と、
（Ｂ）実装基板側の導電部との電気的接続のためのものであって、基部から、外側端面と底面とが交差する稜線部分を覆う第１の屈曲部を介して、鍔部の底面側に配置された実装部と、
（Ｃ）基部から、外側端面と横方向面とが交差する稜線部分を覆う第２の屈曲部を介して、横方向面側に配置され、かつワイヤの端部と電気的に接続された、ワイヤ接続部と、
を備えることを第１の特徴としている。
【００２２】
この発明では、端子電極は、特許文献１に記載のものとは異なり、ワイヤと接続されるワイヤ接続部を、実装部からではなく、基部から延びるように形成している。そして、このワイヤ接続部は、基部から、鍔部の外側端面と横方向面とが交差する稜線部分を覆う第２の屈曲部を介して、横方向面側に配置されている。したがって、鍔部に設けられる窪みが与える限られた空間を有効に利用することができる。
【００２３】
この発明の第１の局面では、上記ワイヤ接続部は、基部から第２の屈曲部を介して横方向面に沿って延び、かつワイヤの端部を受けるワイヤ受け部と、ワイヤ受け部と重なるように、ワイヤ受け部の先端部から折り返し部を介して延び、かつワイヤの端部と溶接されたワイヤ溶接部とを備えることを第２の特徴としている。この構成によれば、ワイヤ接続部に、ワイヤを受けて位置決めする機能とワイヤを溶接する機能との双方を持たせることができる。特に、位置決めするワイヤ受け部（図８および図９に示したワイヤ保持部３３に相当）と、溶接するワイヤ溶接部（図８および図９に示したワイヤ溶接部３５に相当）とが、面対向し、それぞれの厚み方向に並ぶ位置関係にあるので、窪みが与える限られた空間を有効に利用することができる。
この発明の第２の局面では、１対の側面が互いに対向する方向において、実装部とワイヤ接続部とが隣り合って位置しており、第２の屈曲部は第１の屈曲部の延びる方向に沿って延びていることを第２の特徴としている。すなわち、端子電極における実装部とワイヤ接続部とは互いに独立したものであり、端子電極における第１の屈曲部と第２の屈曲部とは同じ方向に延びていることを第２の特徴としている。
【００２４】
この発明において、鍔部の外側端面に直交する方向に見たとき、縦方向面の長さは、横方向面の長さより長いことが好ましい。前述したように、基部から外側端面と横方向面とが交差する稜線部分を覆う第２の屈曲部を介して、ワイヤ接続部は、横方向面側に配置されている。したがって、上述の構成によれば、窪みが規定する空間におけるより長い寸法を利用して、ワイヤ接続部を、余裕をもって配置することができる。
【００２５】
好ましくは、端子電極のワイヤ接続部は、窪みが規定する空間内に納まっていることが好ましい。この構成によれば、コイル部品の外形から端子電極におけるワイヤ接続部が突出してしまうことがなく、ワイヤ接続部によるコイル部品の外形寸法（実装面積）の拡大を抑制することができる。
【発明の効果】
【００２６】
この発明に係るコイル部品によれば、ドラム状コアの鍔部に設けられる窪みが与える限られた空間を有効に利用して、端子電極を配置することができるとともに、端子電極とワイヤとの間で高い信頼性をもって電気的接続および機械的固定を実現することができる
【図面の簡単な説明】
【００２７】
【図１】この発明の第１の実施形態によるコイル部品４０の外観を示す斜視図であり、（Ａ）は比較的上方から示した図であり、（Ｂ）は比較的下方から示した図である。
【図２】図１に示したコイル部品４０の外観を示すもので、（Ａ）は正面図、（Ｂ）は底面図、（Ｃ）は右側面図である。
【図３】図１に示したコイル部品４０について、ワイヤ６９，７０の端部を端子電極７１〜７４のワイヤ受け部８０上に配置した状態を示すもので、（Ａ）は正面図、（Ｂ）は底面図、（Ｃ）は右側面図である。
【図４】図１に示したコイル部品４０について、ワイヤ６９，７０の端部を端子電極７１〜７４のワイヤ受け部８０とワイヤ溶接部８２とで挟んだ後であるが、溶接を実施する前の状態を示すもので、（Ａ）は正面図、（Ｂ）は底面図、（Ｃ）は右側面図である。
【図５】この発明の第２の実施形態によるコイル部品に備えるワイヤの図示を省略しながら、ドラム状コア４２ならびに端子電極７１および７２のみを示す斜視図であり、（Ａ）は比較的上方から示した図であり、（Ｂ）は比較的下方から示した図である。
【図６】特許文献１に記載されたコイル部品１００の外観を示す斜視図である。
【図７】図６に示したコイル部品１００におけるドラム状コア１を単独で示す斜視図である。
【図８】図６に示したコイル部品１００に備える端子電極２８を単独で示す斜視図である。
【図９】図６に示したコイル部品１００における鍔部６、端子電極２８およびワイヤ３を示す、図６の線IX−IXに沿う拡大断面図である。
【発明を実施するための形態】
【００２８】
図１ないし図４を参照して、この発明の第１の実施形態によるコイル部品４０について説明する。図示したコイル部品４０は、より具体的には、コイル部品の一例としてのコモンモードチョークコイルを構成するものである。
【００２９】
コイル部品４０は、巻芯部４１を有するドラム状コア４２を備えている。ドラム状コア４２は、また、巻芯部４１の各端部にそれぞれ設けられた第１および第２の鍔部４３および４４を備えている。ドラム状コア４２は、たとえば、フェライト等の磁性体から構成される。巻芯部４１は、図１から四角柱状であることが類推されるが、その他、円柱状または多角柱状であってもよい。
【００３０】
鍔部４３および４４は、それぞれ、巻芯部４１側に向きかつ巻芯部４１の各端部を位置させる内側端面４５および４６と、内側端面４５および４６の反対側の外側に向く外側端面４７および４８とを有し、さらに、実装時において実装基板（図示しない。）側に向けられる底面４９および５０と、底面４９および５０の反対側の天面５１および５２と、第１の側面５３および５４と、第１の側面５３および５４に対向する第２の側面５５および５６とを有している。
【００３１】
第１の鍔部４３において、底面４９、天面５１、第１の側面５３および第２の側面５５は、それぞれ、内側端面４５と外側端面４７とを連結するものである。また、第１の側面５３および第２の側面５５は、底面４９と天面５１とを連結する方向に延びるものである。
【００３２】
同様に、第２の鍔部４４において、底面５０、天面５２、第１の側面５４および第２の側面５６は、それぞれ、内側端面４６と外側端面４８とを連結するものである。また、第１の側面５４および第２の側面５６は、底面５０と天面５２とを連結する方向に延びるものである。
【００３３】
また、第１の鍔部４３において、第１および第２の側面５３および５５の各々の底面４９側の端部には、それぞれ、底面４９に沿って延びる横方向面５７および５８と側面５３および５５に沿って延びる縦方向面５９および６０とによって規定される切欠き形状の窪み６１および６２が設けられる。ここで、底面４９と横方向面５７および５８とは必ずしも平行でなくてもよく、側面５３および５５と縦方向面５９および６０とは必ずしも平行でなくてもよい。
【００３４】
同様に、第２の鍔部４４においても、第１および第２の側面５４および５６の各々の底面５０側の端部には、それぞれ、底面５０に沿って延びる横方向面６３および６４と側面５４および５６に沿って延びる縦方向面６５および６６とによって規定される切欠き形状の窪み６７および６８が設けられる。ここで、底面５０と横方向面６３および６４とは必ずしも平行でなくてもよく、側面５４および５６と縦方向面６５および６６とは必ずしも平行でなくてもよい。具体的には、たとえば、図１から図４に示される縦方向面５９、６０、６５および６６は、側面５３、５４、５５および５６に対して、フェライトコア成型時の抜きテーパに相当する傾斜を有している。
【００３５】
図２（Ｃ）において、窪み６８に関連して、鍔部４４の外側端面４８に直交する方向に見たときの上述した縦方向面６６の長さＬｈおよび横方向面６４の長さＬｖが表示されている。この実施形態では、鍔部４３および４４の外側端面４７および４８に直交する方向に見たとき、縦方向面５９、６０、６５および６６の各々の長さＬｈは、横方向面５７、５８、６３および６４の各々の長さＬｖより長い。
【００３６】
コイル部品４０は、さらに、巻芯部４１に巻回された第１および第２のワイヤ６９および７０を備えている。これらワイヤ６９および７０は、たとえば、ポリウレタン、ポリエステルイミド、ポリアミドイミドのような樹脂によって絶縁被覆された銅線からなる。
【００３７】
コイル部品４０がコモンモードチョークコイルであるとき、ワイヤ６９および７０は、互いに同方向に巻回される。このとき、ワイヤ６９および７０は、いずれか一方が内層側に、いずれか他方が外層側に、というように、２層巻きにされても、巻芯部４１の軸線方向において交互に配列されかつ互いに平行に並んだ状態で巻くバイファイラ巻きにされてもよい。
【００３８】
コイル部品４０は、さらに、第１ないし第４の端子電極７１〜７４を備えている。これら第１ないし第４の端子電極７１〜７４のうち、第１および第３の端子電極７１および７３は、第１の鍔部４３に接着剤を介して固定される。第２および第４の端子電極７２および７４は、第２の鍔部４４に接着剤を介して固定される。
【００３９】
第１の端子電極７１と第４の端子電極７４とは、互いに同じ形状であり、第２の端子電極７２と第３の端子電極７３とは、互いに同じ形状である。また、第１の端子電極７１と第３の端子電極７３とは、互いに面対称形状をなし、第２の端子電極７２と第４の端子電極７４とは、互いに面対称形状をなしている。したがって、第１ないし第４の端子電極７１〜７４のうちのいずれか１つの端子電極、たとえば第３の端子電極７３について、その詳細を説明し、第１、第２および第４の端子電極７１、７２および７４の詳細については、その説明を省略する。
【００４０】
第３の端子電極７３は、通常、たとえばリン青銅やタフピッチ銅などの銅系合金からなる１枚の金属板に対して板金加工を施すことにより製造されるものであるが、他の製造方法、たとえば鋳込みによる製造方法によって製造されてもよい。
【００４１】
第３の端子電極７３は、鍔部４３の外側端面４７に沿って延びる基部７５と、当該基部７５から、鍔部４３の外側端面４７と底面４９とが交差する稜線部分を覆う第１の屈曲部７６を介して、鍔部４３の底面４９に沿って延びる実装部７７と、を備えている。つまり、基部７５は、鍔部４３の外側端面４７側に配置され、実装部７７は、第１の屈曲部７６を介して、鍔部４３の底面４９側に配置される。
【００４２】
さらに、端子電極７３は、基部７５から第２の屈曲部７８を介して延びるワイヤ接続部７９を有する。ワイヤ接続部７９は、１対の側面５３および５５が互いに対向する方向において、実装部７７と隣り合って位置している。ワイヤ接続部７９は、基部７５から第１の屈曲部７６の延びる方向に沿って延びる第２の屈曲部７８を介して横方向面５８に沿って延び、かつワイヤ７０の端部を受けるワイヤ受け部８０と、ワイヤ受け部８０と重なるように、ワイヤ受け部８０の先端部から折り返し部８１を介して延び、かつワイヤ７０の端部と溶接されたワイヤ溶接部８２とを備える。つまり、ワイヤ接続部７９は、第２の屈曲部７８を介して、横方向面５８側に配置される。ワイヤ接続部７９は、第１の鍔部４３に設けられた窪み６２内に位置される。
【００４３】
このように、ワイヤ接続部７９は、ワイヤ７０を受けて位置決めする機能とワイヤ７０を溶接する機能との双方を持たせることができる。特に、ワイヤ接続部７９では、ワイヤ受け部８０と、ワイヤ溶接部８２とが、面対向し、それぞれの厚み方向に並ぶ位置関係にある。この場合、ワイヤ受け部８０およびワイヤ溶接部８２は、窪み６２が規定する空間に対し、面方向には最大限広げることが可能となる一方、厚み方向にはそれぞれの厚みを重ねることで広がりを最小限に抑えることができる。したがって、窪み６２が規定する空間をより有効に利用することができる。
【００４４】
なお、上述した第３の端子電極７３における基部、第１の屈曲部、実装部、第２の屈曲部およびワイヤ接続部、ならびにワイヤ受け部、折り返し部およびワイヤ溶接部をそれぞれ指すために用いた参照符号７５、７６、７７、７８および７９、ならびに８０、８１および８２は、他の端子電極７１、７２および７４における対応の基部、第１の屈曲部、実装部、第２の屈曲部およびワイヤ接続部、ならびにワイヤ受け部、折り返し部およびワイヤ溶接部をそれぞれ指すためにも用いることにする。
【００４５】
前述した第１のワイヤ６９の一方端は第１の端子電極７１に接続され、第１のワイヤ６９の他方端は第２の端子電極７２に接続される。他方、第２のワイヤ７０の一方端は第３の端子電極７３に接続され、第２のワイヤ７０の他方端は第４の端子電極７４に接続される。以下、代表して、第２のワイヤ７０を第３の端子電極７３に接続する工程について説明する。
【００４６】
ワイヤ７０を接続する前の段階では、端子電極７３は、ワイヤ接続部７９において、図３に示すように、ワイヤ溶接部８２がワイヤ受け部８０に対して展開した状態となっている。この状態で、ワイヤ７０の端部が端子電極７３のワイヤ受け部８０上に位置される。
【００４７】
次に、ワイヤ受け部８０にワイヤ７０が仮固定される。たとえばワイヤ７０の絶縁被覆に熱を加え軟化させたものに対して荷重が加えられることで、ワイヤ７０がワイヤ受け部８０に密着し、仮固定される。
【００４８】
次に、ワイヤ７０に対してレーザ光が照射され、ワイヤ受け部８０との密着側とは反対側の絶縁被覆が除去されることにより、ワイヤ７０の銅線が露出する。
【００４９】
次に、図４に示すように、ワイヤ溶接部８２が、ワイヤ７０の端部を挟んでワイヤ受け部８０と対向して重なるように、折り返し部８１が折り曲げられ、露出した銅線とワイヤ溶接部８２とを密着させる。
【００５０】
次に、ワイヤ溶接部８２に向かってレーザ光が照射され、ワイヤ溶接部８２とワイヤ７０の端部とが溶接される。図１および図２において、レーザ溶接の結果、形成された溶接玉８３が図示されている。
【００５１】
以上のようにして、第２のワイヤ７０を第３の端子電極７３に接続する工程が完了する。第１、第２および第４の端子電極７１、７２および７４においても同様の工程が実施され、図１および図２に示すコイル部品４０が完成される。なお、上記では、ワイヤ溶接部８２とワイヤ７０との接続にはレーザ溶接を用いたが、これに限られず、アーク溶接などを用いてもよい。
【００５２】
コイル部品４０において、端子電極７１〜７４の各々のワイヤ受け部８０およびワイヤ溶接部８２を含むワイヤ接続部７９は、それぞれ、窪み６１、６７、６２および６８が規定する空間内に納まりながら、ワイヤ６９および７０と端子電極７１〜７４との間で信頼性の高い電気的接続および機械的固定を実現している。
【００５３】
特に、上述したように、この実施形態では、縦方向面５９、６０、６５および６６の各々の長さＬｈは、横方向面５７、５８、６３および６４の各々の長さＬｖより長いので、窪み６１、６２、６７および６８の各々が規定する空間におけるより長い寸法を利用して、ワイヤ接続部７９を、余裕をもって配置することができる。具体的には、コイル部品４０では、ワイヤ受け部８０、ワイヤ７０、ワイヤ接続部７９が、縦方向面５９、６０、６５および６６に沿って並ぶため、これらによる体積の嵩張りはより長いＬｈ側に沿って発生し、ワイヤ接続部７９を余裕をもって配置することができる。なお、このような利点を特に望まないならば、長さＬｈは、長さＬｖと同等か、短くてもよい。
【００５４】
なお、前述したように、ワイヤ接続部７９は、それぞれ、窪み６１、６７、６２および６８が規定する空間内に納まることが、コイル部品４０の小型化にとって好ましいが、このような利点が減殺されることが許容されるならば、ワイヤ接続部７９の一部が上記空間からはみ出していてもよい。
【００５５】
次に、図５を参照して、この発明の第２の実施形態によるコイル部品について説明する。図５では、ワイヤの図示が省略され、コイル部品に備えるドラム状コア４２ならびに端子電極７１および７２のみが図示されている。図５において、図１ないし図４に示した要素に相当する要素には同様の参照符号を付し、重複する説明を省略する。
【００５６】
第２の実施形態は、通常のコイルを構成するもので、第１および第２の鍔部４３および４４の各々に１個ずつ、すなわち、合計２個の端子電極７１および７２を備え、図示しないが、１本のワイヤを備えることを特徴としている。
【００５７】
より詳細には、第１の鍔部４３において、一方の側面５５の底面４９側の端部には、底面４９に沿って延びる横方向面５８と側面５５に沿って延びる縦方向面６０とによって規定される切欠き形状の窪み６２が設けられる。
【００５８】
同様に、第２の鍔部４４においては、一方の側面５４の底面５０側の端部には、底面５０に沿って延びる横方向面６３と側面５４に沿って延びる縦方向面６５とによって規定される切欠き形状の窪み６７が設けられる。
【００５９】
第２の実施形態に係るコイル部品は、さらに、第１および第２の端子電極７１および７２を備えている。第１の端子電極７１は、第１の鍔部４３に接着剤を介して固定される。第２の端子電極７２は、第２の鍔部４４に接着剤を介して固定される。
【００６０】
第１の端子電極７１は、鍔部４３の外側端面４７に沿って延びる基部７５と、当該基部７５から、鍔部４３の外側端面４７と底面４９とが交差する稜線部分を覆う第１の屈曲部７６を介して、鍔部４３の底面４９に沿って延びる実装部７７と、を備えている。さらに、端子電極７１は、基部７５から第２の屈曲部７８を介して延びるワイヤ接続部７９を有する。ワイヤ接続部７９は、基部７５から第２の屈曲部７８を介して横方向面５８に沿って延び、かつワイヤの端部を受けるワイヤ受け部８０と、ワイヤ受け部８０と重なるように、ワイヤ受け部８０の先端部から折り返し部８１を介して延び、かつワイヤの端部と溶接されるべきワイヤ溶接部８２とを備える。ワイヤ接続部７９は、第１の鍔部４３に設けられた窪み６２内に位置される。
【００６１】
第１の端子電極７１と第２の端子電極７２とは、互いに同じ形状である。したがって、上述した第１の端子電極７１における基部、第１の屈曲部、実装部、第２の屈曲部およびワイヤ接続部、ならびにワイヤ受け部、折り返し部およびワイヤ溶接部をそれぞれ指すために用いた参照符号７５、７６、７７、７８および７９、ならびに８０、８１および８２は、第２の端子電極７２における対応の基部、第１の屈曲部、実装部、第２の屈曲部およびワイヤ接続部、ならびにワイヤ受け部、折り返し部およびワイヤ溶接部をそれぞれ指すためにも用いる。
【００６２】
第２の端子電極７２は、鍔部４４の外側端面４８に沿って延びる基部７５と、当該基部７５から、鍔部４４の外側端面４８と底面５０とが交差する稜線部分を覆う第１の屈曲部７６を介して、鍔部４４の底面５０に沿って延びる実装部７７と、を備えている。さらに、端子電極７２は、基部７５から第２の屈曲部７８（図５では図示されない。）を介して延びるワイヤ接続部７９を有する。ワイヤ接続部７９は、基部７５から第２の屈曲部７８を介して横方向面６３に沿って延び、かつワイヤの端部を受けるワイヤ受け部８０と、ワイヤ受け部８０と重なるように、ワイヤ受け部８０の先端部から折り返し部８１を介して延び、かつワイヤの端部と溶接されるべきワイヤ溶接部８２とを備える。ワイヤ接続部７９は、第２の鍔部４４に設けられた窪み６７内に位置される。
【００６３】
図示しないワイヤの一方端部は、第１の鍔部４３に設けられた第１の端子電極７１のワイヤ接続部７９、より特定的は、ワイヤ溶接部８２に対して、たとえばレーザ溶接により接続される。同様に、ワイヤの他方端部は、第２の鍔部４４に設けられた第２の端子電極７２のワイヤ接続部７９、より特定的は、ワイヤ溶接部８２に対して、たとえばレーザ溶接により接続される。図５では、ワイヤを図示しないが、レーザ溶接の結果、形成された溶接玉８３が図示されている。
【００６４】
上述した実施形態の説明では、図６に示した板状コア３７については触れなかったが、この発明に係るコイル部品においても、板状コアが設けられてもよい。
【００６５】
以上、この発明に係るコイル部品を、より具体的な実施形態に基づいて説明したが、説明した各実施形態は、例示的なものであり、異なる実施形態間において、構成の部分的な置換または組み合わせが可能であることを指摘しておく。
【符号の説明】
【００６６】
４０  コイル部品
４１  巻芯部
４２  ドラム状コア
４３  第１の鍔部
４４  第２の鍔部
４５，４６  鍔部の内側端面
４７，４８  鍔部の外側端面
４９，５０  鍔部の底面
５１，５２  鍔部の天面
５３〜５６  鍔部の側面
５７，５８，６３，６４  横方向面
５９，６０，６５，６６  縦方向面
６１，６２，６７，６８  窪み
６９，７０  ワイヤ
７１〜７４  端子電極
７５  基部
７６  第１の屈曲部
７７  実装部
７８  第２の屈曲部
７９  ワイヤ接続部
８０  ワイヤ受け部
８１  折り返し部
８２  ワイヤ溶接部
【図１】
0006493295.tif 000002
【図２】
0006493295.tif 000003
【図３】
0006493295.tif 000004
【図４】
0006493295.tif 000005
【図５】
0006493295.tif 000006
【図６】
0006493295.tif 000007
【図７】
0006493295.tif 000008
【図８】
0006493295.tif 000009
【図９】
0006493295.tif 000010